(57)【要約】【課題】温風の量を減らすことなく、温風と冷風とを同時に吐出させるヘアドライヤーを提供する。【解決手段】ヘアドライヤー本体2の外筒７内に、ヒータ１１、ファン１２及びファンを駆動するモータ１３を有する内筒６を備え、本体の一端に吸気口９、他端に吐風口１０を設けたヘアドライヤー１の、外筒７を全長に亘って内筒６との二重構造として、外筒７と内筒６との間に一端に吸引口１５を有し、他端に吐出口１６を有する冷風路１４を設けると共に、外筒７の後部には吸気口９と吸引口１５を取り囲む吸入部４を設ける。温風が吐出される温風路と冷風が吐出される冷風路とを別に構成することにより、温風の量を減らすことなく、バフラー効果によって温風と冷風とを同時に吐出させることができる。【選択図】  図２
2010193947.tif 000002
【特許請求の範囲】
【請求項１】
ヘアドライヤー本体の外筒内に、ヒータ、ファン及び該ファンを駆動するモータを有する内筒を備え、前記本体の一端に吸気口、他端に吐風口を設けたヘアドライヤーにおいて、前記外筒を全長に亘って前記内筒との二重構造として、前記外筒と前記内筒との間に一端に吸引口を有し、他端に吐出口を有する冷風路を設けると共に、前記本体の後部には前記吸気口と前記吸引口を取り囲む吸入部を設けたことを特徴とするヘアドライヤー。
【請求項２】
本体前端の吹出部に、吐風ノズルが着脱自在に取り付けられたことを特徴とする請求項１に記載のヘアドライヤー。
【請求項３】
前記外筒を多角形に形成したことを特徴とする請求項１に記載のヘアドライヤー。
【請求項４】
多角形に形成した前記外筒に形成される平面のうち水平方向の面にハンドルを設けたことを特徴とする請求項３に記載のヘアドライヤー。
【請求項５】
前記冷風路にマイナスイオン端子を設けたことを特徴とする請求項１に記載のヘアドライヤー。
【請求項６】
前記マイナスイオン端子は前記外筒を形成する多角形の角部近傍に設けたことを特徴とする請求項５に記載のヘアドライヤー。
【請求項７】
前記内筒と前記外筒との間に複数個のリブを設けたことを特徴とする請求項１に記載のヘアドライヤー。
【請求項８】
前記リブは、前記冷風路の前後方向に長くなるように形成したことを特徴とする請求項７に記載のヘアドライヤー。
【請求項９】
前記リブは、前記外筒の多角形の平面と内筒との間に設けられたことを特徴とする請求項７及び８に記載のヘアドライヤー。
【請求項１０】
前記吐風ノズルは、水平方向に延びる少なくとも二枚の平板状のガイド板を有し、該ガイド板は前方に向かって徐々に互いに接近させてあることを特徴とする請求項２に記載のヘアドライヤー。
【発明の詳細な説明】
【技術分野】
【０００１】
本発明は、ヘアドライヤーに係り、温風と冷風とを同時に吐出させることができるヘアドライヤーに関するものである。
【背景技術】
【０００２】
一般に、ヘアドライヤーは、ヘアドライヤー本体の風の吐出口に吐き出される温風によって毛髪の乾燥、セットを行うものである。最近では、髪を早く乾かすために風量を多くしたものや、髪へのダメージを減らすために温風と同時にマイナスイオンを吐出するもの、髪の過乾燥を防止するために温風と冷風を同時に吐出するものなど、種々のものが発売されている。
【０００３】
その中でも、髪の過乾燥を防止するために温風と冷風を同時に吐出するものは、温風だけの場合では過乾燥となりやすい髪に対しての熱ダメージを低減し、髪の毛につやを出して、髪の毛をまとまりやすく保つことができる。
【０００４】
しかし、従来の温風と冷風を同時に吐出するヘアドライヤーは、単一の吸入口から吸込んだ外気をヘアドライヤーのハウジング内部で分流し温風と冷風にして吹出すようにしたもので、冷風に分流される分、温風の風量が減少するので温風の温度が過剰に上昇して毛髪をいためたりするなどの問題があった。
【０００５】
例えば、下記特許文献１に開示されているヘアドライヤーは、図６に示すように、ヘアドライヤー１０１のハウジング１０２内部に冷風用流路１０３及び温風用流路１０４を設け、温風用流路１０４の途中にはヒータ１０５を設け、冷風用流路１０３の冷風吹出口１０６と、温風用流路１０４の温風吹出口１０７とが隣接して略同一方向に開口している。また、この冷風用流路１０３及び温風用流路１０４よりも上流側にファン１０９を設け、ハウジング１０２外部に開口する外気吸込口１０８から吸い込んだ外気を温風用流路１０４に送るとともに、ファン１０９とヒータ１０５間から分流して冷風用流路１０３に送り、且つ冷風吹出口１０６及び温風吹出口１０７の夫々から冷風及び温風を同時に吹き出すものであった。
【０００６】
しかし、この特許文献１のヘアドライヤーにおいては、ファン１０９より送り出された外気がハウジング１０２内で冷風用流路１０３と温風用流路１０４に分けられて、冷風吹出口１０６及び温風吹出口１０７より吹き出されるため、冷風用流路１０３に分流される分だけ温風用流路１０４を通って吹出される温風の量が減ってしまうという問題があった。
【先行技術文献】
【特許文献】
【０００７】
【特許文献１】特開２００４−３５７９３７号公報
【発明の概要】
【発明が解決しようとする課題】
【０００８】
本願の発明者は、前記の問題点を解決すべく種々検討を行った結果、温風が吐出される温風路と冷風が吐出される冷風路とを別々に構成することにより、温風の量を減らすことなく、バフラー効果によって温風と冷風とを同時に吐出させるヘアドライヤーが提供できることを見出し、本発明を完成するに至ったものである。
【０００９】
すなわち、本発明は、温風吐風量を減少させることなく、温風と冷風とを同時に吐風させることができるヘアドライヤーを提供することを目的とするものである。
【課題を解決するための手段】
【００１０】
請求項１の発明に係るヘアドライヤーは、ヘアドライヤー本体の外筒内に、ヒータ、ファン及び該ファンを駆動するモータを有する内筒を備え、前記本体の一端に吸気口、他端に吐風口を設けたヘアドライヤーにおいて、前記外筒を全長に亘って前記内筒との二重構造として、前記外筒と前記内筒との間に一端に吸引口を有し、他端に吐出口を有する冷風路を設けると共に、前記本体の後部には前記吸気口と前記吸引口を取り囲む吸入部を設けたことを特徴とする。
【００１１】
請求項２の発明に係るヘアドライヤーは、請求項１に記載のヘアドライヤーにおいて、本体前端の吹出部に、吐風ノズルが着脱自在に取り付けられたことを特徴とする。
【００１２】
請求項３の発明に係るヘアドライヤーは、請求項１に記載のヘアドライヤーにおいて、前記外筒を多角形に形成したことを特徴とする。
【００１３】
請求項４の発明に係るヘアドライヤーは、請求項３に記載のヘアドライヤーにおいて、多角形に形成した前記外筒に形成される平面のうち水平方向の面にハンドルを設けたことを特徴とする。
【００１４】
請求項５の発明に係るヘアドライヤーは、請求項１に記載のヘアドライヤーにおいて、前記冷風路にマイナスイオン端子を設けたことを特徴とする。
【００１５】
請求項６の発明に係るヘアドライヤーは、請求項５に記載のヘアドライヤーにおいて、前記マイナスイオン端子は前記外筒を形成する多角形の角部近傍に設けたことを特徴とする。
【００１６】
請求項７の発明に係るヘアドライヤーは、請求項１に記載のヘアドライヤーにおいて、前記内筒と前記外筒との間に複数個のリブを設けたことを特徴とする。
【００１７】
請求項８の発明に係るヘアドライヤーは、請求項７に記載のヘアドライヤーにおいて、前記リブは、前記冷風路の前後方向に長くなるように形成したことを特徴とする。
【００１８】
請求項９の発明に係るヘアドライヤーは、請求項７及び８に記載のヘアドライヤーにおいて、前記リブは、前記外筒の多角形の平面と内筒との間に設けられたことを特徴とする。
【００１９】
請求項１０の発明に係るヘアドライヤーは、請求項２に記載のヘアドライヤーにおいて、前記吐風ノズルは、水平方向に延びる少なくとも二枚の平板状のガイド板を有し、該ガイド板は前方に向かって徐々に互いに接近させてあることを特徴とする。
【発明の効果】
【００２０】
請求項１の発明によれば、ヘアドライヤー本体を外筒の全長に亘って内筒との二重構造として、外筒と内筒との間に一端に吸引口を有し、他端に吐出口を有する冷風路を設けると共に、本体の後部には吸気口と吸引口を取り囲む吸入部を設けたことによって、ファンの回転によりヘアドライヤー内へ吸い込まれた外気は温風路を通り吐風口から吹出され、この吐風口から吹出される空気に引き寄せられて吐風口に隣接する吐出口からも空気が吹出される。吐風口から空気が吹出されるために、冷風路内の空気が引き寄せられて、吸入部付近の外気も引き寄せられる。以上のような作用により、温風量を保ちつつ、冷風も同時に吐出することができる。
【００２１】
請求項２の発明によれば、本体前端の吹出部に、吐風ノズルが着脱自在に取り付けられることによって、吐出口及び吐風口より吹出された冷風及び温風が吐風ノズルによって混合され、髪及び頭皮にやさしい風を吹付けることができる。
【００２２】
請求項３の発明によれば、本体の外筒を多角形に形成することにより、ヘアドライヤーの不使用時において収納する際に、転がりにくい利点がある。
【００２３】
請求項４の発明によれば、多角形に形成した本体の外筒に形成される平面のうち水平方向の面にハンドルを設けたことにより、ヘアドライヤーの不使用時にハンドルを折りたたむと、ハンドルの前面が前記水平面に接して重なり、ヘアドライヤーをコンパクトな形にすることができるので、収納に便利である。
【００２４】
請求項５の発明によれば、冷風路にマイナスイオン端子を設けたことにより、吐出口から吐風される冷風にマイナスイオンを混合させることができる。
【００２５】
請求項６の発明によれば、前記マイナスイオン端子は外筒を形成する多角形の角部近傍に設けたことにより、多角形の角部の空間を有効に利用することができる。
【００２６】
請求項７の発明によれば、内筒と外筒との間に複数個のリブを設けたことにより、内筒と外筒とが所定の間隔を開けて安定して固定することができる。
【００２７】
請求項８の発明によれば、前記リブは、冷風路の前後方向に長くなるように形成したことにより、冷風路を通る風がリブによって、整流されてストレートな風を吐風することができる。
【００２８】
請求項９の発明によれば、前記リブは、外筒の多角形の平面と内筒との間に設けられたことにより、内筒の支持が確実になりかつ外筒の形状を安定させることができる。
【００２９】
請求項１０の発明によれば、吐風ノズルは、水平方向に延びる少なくとも二枚の平板状のガイド板を有し、ガイド板は前方に向かって徐々に互いに接近させてあることにより、吐出口の冷風を吐風口の温風に絡ませて、頭皮及び頭髪に優しい風を吐風することができ、また吐風される風を整風することができる。
【図面の簡単な説明】
【００３０】
【図１】図１は、本発明の実施例に係るヘアドライヤーの斜視図である。
【図２】図２は、本発明の実施例に係るヘアドライヤーの縦断面図である。
【図３】図３は、本発明の実施例に係るヘアドライヤーの正面図である。
【図４】図４は、本発明の実施例に係るヘアドライヤーの背面図である。
【図５】図５は、本発明の実施例に係るヘアドライヤーのＶ‐Ｖ断面図である。
【図６】図６は、従来のヘアドライヤーの縦断面図である。
【発明を実施するための形態】
【００３１】
以下、図面を参照して、本発明の実施形態を説明する。但し、以下に示す実施形態は、本発明の技術思想を具体化するためのヘアドライヤーを例示するものであって、本発明をこのヘアドライヤーに特定することを意図するものではなく、特許請求の範囲に含まれるその他の実施形態のものにも等しく適用し得るものである。
【実施例】
【００３２】
図１は本発明の一実施例に係るヘアドライヤーの斜視図、図２は同実施例に係るヘアドライヤーの縦断面図、図３は同実施例に係るヘアドライヤーの正面図、図４は同実施例に係るヘアドライヤーの背面図であり、図５は図２の■‐■線で切った断面図である。
【００３３】
ヘアドライヤー１は、本体２とハンドル３により構成されている。
【００３４】
本体２は、一端に吸入部４、他端に吹出部５を有する筒状体よりなり、円筒形の内筒６と五角形よりなる外筒７とで二重構造をなすように構成されている。
【００３５】
ハンドル３は、本体２を支持・操作するものであり、五角形に形成された外筒７の各辺平面のうち水平方向の面７aの吸入部４側の端に折り畳み自在に取り付けられている。ハンドル３は、外筒７の下面から突出した保持部７bを支点にして軸支され、折りたたみ可能に本体２に取り付けられている。このハンドル３は、断面が片手で握れる程度の大きさの三角形を有する棹状をなし、内部には切換スイッチ（図示せず）が装着されており、前面外側には操作つまみ８を設けてなる。操作つまみ８の操作により、ＯＮ、ＯＦＦや、HOT、ＣＯＯＬの切換えを行うことができる。また、このハンドル３の操作つまみ８が設けられている面は、不使用時には折りたたむと本体２の五角形の水平方向の面と対向するように設計されており、たたむと本体２とハンドル３とにより横断面で見ると四角形を形成するようになる。そのため、従来の円筒形のヘアドライヤーと比べると、転がりにくく、また、立てやすいため、収納にも便利になる。
【００３６】
本体２には、図２に示すように、外筒７内に円筒状の内筒６が設けられる。内筒６はマイカ及び金属材料より二重に形成されて、後方に吸気口９、前方に吐風口１０を有している。内筒６内には、前方にヒータ１１、後方には風を送るファン１２、そしてその中間にファン１２を駆動するモータ１３を設けてある。モータ１３の駆動によってファン１２が回転し、後部の吸気口９から取り込んだ空気をヒータ１１に送りこむ。内筒６内の空気はヒータ１１によって温められて吐風口１０側に押し出され、吸気口９付近の空気が引き寄せられて吸入される。
【００３７】
１４は冷風路で、五角形の外筒７と内筒６間に本体２の全長に亘って設けられる。すなわち、本体2をその全長に亘って外筒７と内筒６との二重構造として、外筒７と内筒６との間隙に冷風路１４を設け、その一端後方には吸引口１５を設け、他端前方に吐出口１６を設ける。
【００３８】
さらに、外筒７の後部には内筒６の吸気口９と冷風路の吸引口１５を取り囲む吸入部４が設けられる。図4に示すように、吸入部４は、外気を導入するための蜂の巣状の多数の孔を備えた吸入部カバーが設けられている。吸気口９、吸引口１５と吸入部４に吸引部カバーを二重に設けることにより、もしも埃や髪の毛などの異物が、吸入部４より侵入しても、吸気口９または吸引口１５の吸引部カバーにより内筒６内または冷風路１４内への侵入を防ぐことができる。
【００３９】
図５に示すように、本体２の内筒６の外面と外筒７内平面との間にはリブ１７が設けられ、内筒６を支持して外筒７に固定している。リブ１７は、五角形の外筒７のそれぞれの辺と内筒６が最も近接する位置であって、冷風路１４の前後方向に長く形成されており、冷風路１４を通る空気を阻害することなく、冷風路１４を通る空気を整風する。リブ１７は内筒６と外筒７とを固定することと、冷風路１４を通る空気の整風を目的としているため、必ずしも外筒７のすべての辺に対して設けられなくてもよい。
【００４０】
１８はマイナスイオン発生器で、吹出部５に設けられているグリル１９近傍に配設された複数のマイナスイオン端子２０から発生したマイナスイオンがグリル１９に設けたマイナスイオン吐出口２１を中心に吐出される。マイナスイオン端子２０を内筒６と外筒７との間が広く空いている外筒７の角部に配設すれば、冷風路の空間を有効に使うことができる。なお、本実施例では３個のマイナスイオン端子２０を設けたものを示してある。
【００４１】
２２は吐風ノズルで、本体２の前端の吐出口１６と吐風口１０を併せた吹出部５に着脱自在に取り付けられる。吐風ノズル２２の内側には上ガイド板２３ａ及び下ガイド板２３ｂが対向して設けられており、上ガイド板２３ａと下ガイド板２３ｂの先端は、吐風ノズル２２の前方向に向かって接近している。上ガイド板２３ａと下ガイド板２３ｂにより、吐出口１６と吐風口１０により吐出された温風、冷風、及びマイナスイオンが混合されることで、頭皮及び頭髪にやさしい風を吐風することができ、また吐風される風を整風することができる。
【００４２】
吐風ノズル２２は、着脱自在に取り付けられているので、不要であれば取り外してもよい。吐風ノズル２２を外すと、吐出口１６及び吐風口１０より吹出された冷風及び温風を直接吹付けることができる。
【００４３】
本体２、ハンドル３、吐風ノズル２２は、いずれもポリカーボネートやＡＢＳ樹脂等の耐熱性プラスチックスの成型品により形成されている。
【００４４】
ファン１２の回転により、吸気口９からヘアドライヤー１の内筒6へ取り込まれた空気は、温風用風路２４を通り、ヒータ１１によって温められて吐風口１０から吐出される。その際、吐風口１０から吐出される風に引き寄せられて吐風口１０の周りの吐出口１６の空気も吐出される。吐風口１０から空気が吹出されるために、冷風路１４内の空気が引き寄せられるので、吸引口１５より空気が取り込まれる。以上のようなバフラー効果により、冷風路にファンを設けなくても、温風量を保ちつつ、冷風も同時に吐出することができる。したがって、温風の量を減らすことなく、多量の風を吐風することができる。温風用風路２４を通って吐出される温風と、冷風路１４を通って吐出される冷風とは、吐風ノズル２２にて混合される。
【００４５】
以上述べた実施例では、本体2の外筒７が五角形の例を挙げて説明したが、本体２の形状は、本実施例に制限されるものではない。多角形に形成する場合は、通常は四角形から八角形が用いられる。
【００４６】
本発明は、ヘアドライヤーの外筒の全長に亘って内筒を有する二重構造として、本体外筒と内筒との間に冷風路を設けて、温風が吐風される温風路と冷風が吐出される冷風路とを別々に構成することにより、温風の量を減らすことなく、温風と冷風とを同時に吐出させるヘアドライヤーを提供することができる。
【００４７】
ファンの回転により内筒へ吸い込まれた空気は、温風路を通り吐風口から吹出されるが、吐風口から吹出される温風に引き寄せられて吐風口に隣接する冷風路の吐出口からも空気が吐出される。吐風口から空気が吹出されるために、冷風路内の空気が引き寄せられ、吸引口付近の空気も引き寄せられるので、冷風路用のファンは必要ない。
【００４８】
また、温風量を保ちつつ、冷風も同時に吐出することができることによって、頭髪及び頭皮にやさしい風を当てることができるヘアドライヤーを提供することができる。
【符号の説明】
【００４９】
１：ヘアドライヤー
２：本体
３：ハンドル
４：吸入部
５：吹出部
６：内筒
７：外筒
８：操作つまみ
９：吸気口
１０：吐風口
１１：ヒータ
１２：ファン
１３：モータ
１４：冷風路
１５：吸引口
１６：吐出口
１７：リブ
１８：マイナスイオン発生器
１９：グリル
２０：マイナスイオン端子
２１：マイナスイオン吐出口
２２：吐風ノズル
２３ａ：上ガイド板
２３ｂ：下ガイド板
２４：温風路
【図１】
2010193947.tif 000003
【図２】
2010193947.tif 000004
【図３】
2010193947.tif 000005
【図４】
2010193947.tif 000006
【図５】
2010193947.tif 000007
【図６】
2010193947.tif 000008